(57)【要約】誘導性結合する複数の共振器の特性を精緻に設定できるマイクロストリップラインフィルタの提供を図る。マイクロストリップラインフィルタ（１）は、接地電極（５）と主面線路（２Ａ〜２Ｅ）と共通電極（３Ａ，３Ｂ）と側面短絡電極（４Ａ，４Ｂ）と入出力電極（７Ａ，７Ｂ）とを備える。接地電極（５）は、矩形平板状の誘電体基板（１０）の下面に設けられる。主面線路（２Ａ〜２Ｅ）は誘電体基板の上面に設けられて、それぞれ共振器の一部を構成する。共通電極（３Ａ，３Ｂ）は、主面線路（２Ａ〜２Ｃ）を互いに導通させる。側面短絡電極（４Ａ，４Ｂ）は、共通電極（３Ａ，３Ｂ）により互いに導通する主面線路（２Ａ〜２Ｃ）の一組を、それぞれ誘電体基板（１０）の同一の側面を介して接地電極（５）に導通させる。入出力電極（７Ａ，７Ｂ）は、主面線路（２Ｄ，２Ｅ）の構成する共振器に結合する。
2009011168.tif 000002
【特許請求の範囲】
【請求項１】
矩形平板状の誘電体基板の下面に設けられた接地電極と、
前記誘電体基板の上面に設けられて、それぞれ共振器の一部を構成する複数の主面線路と、
いくつかの前記主面線路を互いに導通させる共通電極と、
前記共通電極により導通して組をなす前記主面線路を、それぞれ前記誘電体基板の同一の側面を介して前記接地電極に導通させる複数の短絡電極と、
いずれかの前記共振器に結合する入出力電極と、
を備えるマイクロストリップラインフィルタ。
【請求項２】
各短絡電極は、前記共通電極の、隣接する２つの主面線路の間を接続する部分に一つずつ設けられた請求項１に記載のマイクロストリップラインフィルタ。
【請求項３】
前記共通電極は、３つの主面線路と、２つの短絡電極とに接続される請求項２に記載のマイクロストリップラインフィルタ。
【請求項４】
請求項１〜３のいずれかに記載のマイクロストリップラインフィルタの製造方法であって、
上主面に前記複数の主面線路および前記共通電極を形成し、裏主面に前記接地電極および前記入出力電極を形成した平板状の誘電体母基板を、複数の誘電体基板に分割する分割ステップと、
前記分割ステップにより分割された前記誘電体基板の側面に、前記共通電極から前記接地電極にかけて、導電体ペーストを印刷し、乾燥し、焼成して、前記複数の短絡電極を形成する側面電極形成ステップと、を備えるマイクロストリップラインフィルタの製造方法。
【請求項５】
前記側面電極形成ステップは、前記分割ステップにより分割された複数の誘電体基板のうちから抜き取った誘電体基板に対して、前記複数の短絡電極の間の間隙寸法を最適化し、その後、前記複数の誘電体基板の全てに対して前記短絡電極を前記最適化した間隙寸法で形成するステップである請求項４に記載のマイクロストリップラインフィルタの製造方法。
【発明の詳細な説明】
【技術分野】
【０００１】
この発明は、誘電体基板にストリップラインを設けたマイクロストリップラインフィルタと、その製造方法とに関する。
【背景技術】
【０００２】
１／４波長共振器を構成するストリップラインの開放端を一方向に向けて配して、隣接する共振器間をコムライン結合させたマイクロストリップラインフィルタが普及している。このようなコムライン型のマイクロストリップラインフィルタでは、複数の共振線路の短絡端側を接続する共通電極を設けて、共振器間を誘導性結合させることがある（例えば、特許文献１および２参照。）。【０００３】
特許文献１のマイクロストリップラインフィルタは、ストリップラインに対して垂直に延びる共通電極を備える。共通電極には全てのストリップラインの一端が共通して接続される。共通電極の両端は、ストリップラインに平行な両側面で接地電極に接続される。【０００４】
図１は、特許文献２を参考にしたマイクロストリップラインフィルタの構成例である。マイクロストリップラインフィルタ１０１では、共通電極１０３にストリップライン１０２Ａ〜１０２Ｃの一端が共通して接続される。また、共通電極１０３には短絡電極１０４が接続される。短絡電極１０４はストリップライン１０２Ａ〜１０２Ｃと平行に延び、接地電極１０５に接地される。
【特許文献１】特開昭５６−１０５９０２号公報
【特許文献２】特開２００６−２７０５０８号公報
【発明の開示】
【発明が解決しようとする課題】
【０００５】
従来のフィルタでは、各共振器の共振周波数や共振器間の結合係数の設定は、ストリップラインの線路長や線路幅、隣接するストリップライン間の間隔、共通電極の線路幅、短絡電極の線路幅などの調整によりなされていた。しかし、これらの電極形状を調整したとしても電極形状の制限により、必ずしも所望の共振周波数や共振器間の結合係数を実現することはできず、所望の周波数特性を得ることができなかった。【０００６】
そこで本発明は、各共振器の共振周波数や共振器間の結合係数の設定の自由度を高め、共振器の共振周波数や共振器間の結合係数を精緻に調整できるマイクロストリップラインフィルタと、その製造方法とを提供することを目的とする。
【課題を解決するための手段】
【０００７】
この発明のマイクロストリップラインフィルタは、接地電極と複数の主面線路と共通電極と複数の短絡電極と入出力電極とを備える。接地電極は、矩形平板状の誘電体基板の下面に設けられる。複数の主面線路は誘電体基板の上面に設けられて、それぞれ共振器の一部を構成する。共通電極は、いくつかの主面線路を互いに導通させる。複数の短絡電極は、共通電極により導通して組をなす主面線路を、それぞれ誘電体基板の同一の側面を介して接地電極に導通させる。入出力電極は、いずれかの共振器に結合する。【０００８】
このような構成では、各短絡電極の線路幅や、共通電極と短絡電極との接続位置、隣接する短絡電極の配置間隔など、一組の共通電極に接続される複数の短絡電極の電極パターンにより、この共通電極に接続された主面線路の構成する共振器特性や結合度を調整できる。これにより、これらの共振器それぞれの共振周波数や、隣接する共振器間の結合係数などを、高い自由度で設定できる。この短絡電極の形状の変更による共振周波数や結合係数の変化は、共通電極や主面線路の形状の変更による変化よりも小さいので、共振器の共振周波数や共振器間の結合係数を精緻に調整できる。【０００９】
各短絡電極は、共通電極の隣接する２つの主面線路の間を接続する部分に一つずつ設けられていてもよい。また、共通電極は、３つの主面線路と２つの短絡電極とに接続されてもよい。【００１０】
このような構成により、隣接する３つの主面線路の構成する３つの共振器において、各共振器間の結合度が、２つの短絡電極の配置により定まる。【００１１】
共通電極により導通する複数の短絡電極を調整してマイクロストリップラインフィルタを製造することで、共振器の共振周波数や共振器間の結合係数を精緻に調整したマイクロストリップラインフィルタを量産できる。
【発明の効果】
【００１２】
この発明によれば、コムライン結合する複数の共振器の共振周波数や結合係数を、同一の共通電極に接続される複数の短絡電極の電極パターンにより定めることができ、結合係数を精緻に設定できる。共通電極に接続される複数の主面線路とは、独立して短絡電極の設定ができるので、周波数特性の設定および電極パターンの設計が容易になる。
【図面の簡単な説明】
【００１３】
【図１】マイクロストリップラインフィルタの従来例を示す図である。
【図２】マイクロストリップラインフィルタの構成例を示す斜視図である。
【図３】同マイクロストリップラインフィルタの周波数特性例を示すグラフである。
【図４】同マイクロストリップラインフィルタの製造工程例を示すフローである。
【図５】同マイクロストリップラインフィルタの他の構成例を示す斜視図である。
【符号の説明】
【００１４】
１…マイクロストリップラインフィルタ
２Ａ〜２Ｅ…主面線路
３Ａ，３Ｂ…共通電極
４Ａ〜４D…側面短絡電極
５…接地電極
６Ａ，６Ｂ…側面引出電極
７Ａ，７Ｂ…入出力電極
８Ａ，８Ｂ…引出電極
１０…誘電体基板
６０…ガラス層
６１…結合用電極
【発明を実施するための最良の形態】
【００１５】
以下、マイクロストリップラインフィルタの構成例を説明する。【００１６】
ここで示すマイクロストリップラインフィルタは帯域通過型のフィルタである。このフィルタは、３GＨｚ〜５ＧＨｚ帯のＵＷＢ（Ultra  Wide  Band）通信に利用される。【００１７】
図２（Ａ）は、マイクロストリップラインフィルタを構成する誘電体基板の上面側斜視図であり、同図（Ｂ）は誘電体基板の下面側斜視図である。【００１８】
マイクロストリップラインフィルタ１は、誘電体基板１０とガラス層（不図示）とを備える。なお、ガラス層は、誘電体基板１０の上面に積層して、マイクロストリップラインフィルタの耐環境性を高める。【００１９】
基板１０は酸化チタン等からなる比誘電率が約１１１の小型直方体状のセラミック焼結基板である。基板１０の組成および寸法は周波数特性などを考慮して適宜設定するとよい。【００２０】
基板１０の上面には、主面線路２Ａ〜２Ｅと共通電極３Ａ，３Ｂと引出電極８Ａ，８Ｂとからなる上面電極パターンを形成している。上面電極パターンは厚み約６μｍ以上の銀電極で形成している。上面電極パターンは、基板１０に感光性銀ペーストを塗布し、フォトリソグラフィプロセスによりパターン形成し、焼成してなる。【００２１】
基板１０の正面には、側面短絡電極４Ａ〜４Ｄからなる側面電極パターンを形成している。また、基板１０の背面には、側面引出電極６Ａ，６Ｂからなる側面電極パターンを形成している。これらの側面電極パターンは厚み約１２μｍ以上の銀電極である。これらの側面電極パターンは、基板１０の正面および背面に、スクリーンマスクまたはメタルマスクを用いて非感光性の銀ペーストを塗布し、焼成してなる。【００２２】
基板１０の下面は、このマイクロストリップラインフィルタ１の実装面であり、接地電極５と入出力電極７Ａ，７Ｂからなる下面電極パターンを形成している。入出力電極７Ａ，７Ｂは、接地電極５から分離して形成している。入出力電極７Ａ，７Ｂは、このマイクロストリップラインフィルタ１を実装基板に実装する際に、高周波信号入出力端子に接続される。接地電極５は共振器のグランド面であり、実装基板の接地電極に接続される。下面電極パターンは厚み約１２μｍの銀電極である。下面電極パターンは、基板１０の下面に、スクリーンマスクまたはメタルマスクを用いて非感光性の銀ペーストを塗布し、焼成してなる。【００２３】
なお、側面電極パターンの電極厚みを上面電極パターンの電極厚みよりは厚いものにしているので、一般に電流集中が生じる接地端側の部位での電流を分散させ、導体ロスを低減させている。この構成によって、このマイクロストリップラインフィルタは挿入損失が小さい素子になっている。【００２４】
さて、上面電極パターンにおいて、主面線路２Ａ〜２Ｅは基板１０の正面と上面との境界から、基板１０の背面方向に延設され、先端を開放されている。また、主面線路２Ａ〜２Ｅは、下面電極パターンの接地電極５に対向する。したがって、これらは、互いにコムライン結合する５段の共振器を構成する。【００２５】
引出電極８Ａは、基板１０の背面側に設けられ、一端が基板１０上面の主面線路２Ｄに連続し、他端が基板１０背面の側面引出電極６Ａに連続する。なお、側面引出電極６Ａは、基板１０下面の入出力電極７Ａに連続する。これにより引出電極８Ａは、側面引出電極６Ａを介して、主面線路２Ｄの構成する共振器に入出力電極７Ａをタップ結合させる。【００２６】
主面線路２Ｄは、一端が基板１０上面の引出電極８Ａに連続し、他端が基板１０正面の側面短絡電極４Ｃに連続する。なお、側面短絡電極４Ｃは、基板１０下面の接地電極５に連続する。これにより主面線路２Ｄは、側面短絡電極４Ｃを介して接地電極５に導通し、入力段（または出力段）の１／４波長共振器を構成する。【００２７】
主面線路２Ｂは、一端が基板１０上面の背面側で開放し、他端が基板１０上面の正面側で共通電極３Ａに連続する。なお、共通電極３Ａは基板１０正面の側面短絡電極４Ａに連続し、側面短絡電極４Ａは基板１０下面の接地電極５に連続する。これにより主面線路２Ｂは、側面短絡電極４Ａを介して接地電極５に導通し、２段目の１／４波長共振器を構成する。【００２８】
主面線路２Ｄはその線路幅の中心が、側面短絡電極４Ｃの線路幅の中心とずれている。また、主面線路２Ｂはその線路幅の中心が、側面短絡電極４Ａの線路幅の中心とずれている。そして、主面線路２Ｄと主面線路２Ｂとは近接し、側面短絡電極４Ｃと側面短絡電極４Ａとは離間している。したがって、主面線路２Ｄの構成する入力段（または出力段）の共振器と、主面線路２Ｂの構成する２段目の共振器とは容量性結合する。この容量性結合によって、マイクロストリップラインフィルタ１の周波数特性における帯域低域側には一つめの低域側減衰極が立ち下がることになる。【００２９】
主面線路２Ａは、一端が基板１０上面の背面側で開放し、他端が基板１０上面の正面側で共通電極３Ａおよび共通線路３Ｂに連続する。なお、共通電極３Ａは基板１０正面の側面短絡電極４Ａに連続し、共通電極３Ｂは基板１０正面の側面短絡電極４Ｂに連続し、側面短絡電極４Ａおよび側面短絡電極４Ｂは基板１０下面の接地電極５に連続する。これにより主面線路２Ａは、誘電体基板１０を介して接地電極５に対向するとともに、側面短絡電極４Ａおよび側面短絡電極４Ｂを介して接地電極５に導通し、３段目の１／４波長共振器を構成する。【００３０】
主面線路２Ｂと主面線路２Ａとは、短絡端側で共通電極３Ａにより導通する。この隣り合う共振器間の結合を考える場合、共振器間の中央に電気壁が存在するような奇（ｏｄｄ）モードと、共振器間の中央に磁気壁が存在するような偶（ｅｖｅｎ）モードとでの、共振周波数の差を考える必要がある。共通電極３Ａによって、各主面線路における奇（ｏｄｄ）モードの共振周波数は、偶（ｅｖｅｎ）モードの共振周波数よりも低くなる。このことにより、奇（ｏｄｄ）モードの共振周波数よりも、偶（ｅｖｅｎ）モードの共振周波数が小さくなり、より強い誘導性結合が得られる。この誘導性結合によって、マイクロストリップラインフィルタ１の周波数特性における帯域高域側には一つ目の高域側減衰極が立ち下がることになる。【００３１】
主面線路２Ｃは、一端が基板１０上面の背面側で開放し、他端が基板１０上面の正面側で共通電極３Ｂに連続する。なお、共通電極３Ｂは基板１０正面の側面短絡電極４Ｂに連続し、側面短絡電極４Ｂは基板１０下面の接地電極５に連続する。これにより主面線路２Ｃは、側面短絡電極４Ｂを介して接地電極５に導通し、４段目の１／４波長共振器を構成する。【００３２】
主面線路２Ｃと主面線路２Ａとは、短絡端側で共通電極３Ｂにより導通する。この隣り合う共振器間の結合を考える場合、共振器間の中央に電気壁が存在するような奇（ｏｄｄ）モードと、共振器間の中央に磁気壁が存在するような偶（ｅｖｅｎ）モードとでの、共振周波数の差を考える必要がある。共通電極３Ｂによって、各主面線路における奇（ｏｄｄ）モードの共振周波数は、偶（ｅｖｅｎ）モードの共振周波数よりも低くなる。このことにより、奇（ｏｄｄ）モードの共振周波数よりも、偶（ｅｖｅｎ）モードの共振周波数が小さくなり、より強い誘導性結合が得られる。この誘導性結合によって、マイクロストリップラインフィルタ１の周波数特性における帯域高域側には二つ目の高域側減衰極が立ち下がることになる。【００３３】
主面線路２Ｅは、一端が基板１０上面の引出電極８Ｂに連続し、他端が基板１０正面の側面短絡電極４Ｄに連続する。なお、側面短絡電極４Ｄは、基板１０下面の接地電極５に連続する。これにより主面線路２Ｅは、側面短絡電極４Ｄを介して接地電極５に導通し、出力段（または入力段）の１／４波長共振器を構成する。【００３４】
主面線路２Ｅはその線路幅の中心が、側面短絡電極４Ｄの線路幅の中心とずれている。また、主面線路２Ｃはその線路幅の中心が、側面短絡電極４Ｂの線路幅の中心とずれている。そして、主面線路２Ｅと主面線路２Ｃとは近接し、側面短絡電極４Ｂと側面短絡電極４Ｄとは離間している。したがって、主面線路２Ｅの構成する出力段（または入力段）の共振器と、主面線路２Ｃの構成する４段目の共振器とは容量性結合する。この容量性結合によって、マイクロストリップラインフィルタ１の周波数特性における帯域低域側には二つ目の低域側減衰極が立ち下がることになる。【００３５】
引出電極８Ｂは、基板１０の背面側に設けられ、一端が基板１０上面の主面線路２Ｅに連続し、他端が基板１０背面の側面引出電極６Ｂに連続する。なお、側面引出電極６Ｂは、基板１０下面の入出力電極７Ｂに連続する。これにより引出電極８Ｂは、側面引出電極６Ｂを介して、主面線路２Ｅの構成する共振器に入出力電極７Ｂをタップ結合させる。【００３６】
以上に示した構造によって、マイクロストリップラインフィルタ１は５段の共振器を備えるフィルタを構成する。このマイクロストリップラインフィルタ１は帯域通過型のフィルタであり、通過帯域の低域側の二つの減衰極と高域側の二つの減衰極を有することになる。【００３７】
図３にこのマイクロストリップラインフィルタ１の周波数特性を示す。ここでは、通過帯域の低域側の二つの減衰極の周波数を一致させ、高域側の二つの減衰極の周波数を一致させた特性例を示す。図中に示す破線はマイクロストリップラインフィルタ１のＳ１１特性を示す。図中に示す実線は、マイクロストリップラインフィルタ１のＳ２１特性を示す。【００３８】
マイクロストリップラインフィルタ１のＳ２１特性に注目すると、マイクロストリップラインフィルタ１は約３１６８ＭＨｚ〜約４７５２ＭＨｚにわたって減衰量が約−１．５ｄＢの通過帯域を実現している。また、通過帯域の低域側である約２４００ＭＨｚ〜約２５００ＭＨｚ付近に減衰極が位置し、減衰量が約−３９ｄＢになっている。通過帯域の高域側である約５１５０ＭＨｚ〜約５３５０ＭＨｚ付近に減衰極が位置し、減衰量が約−２７ｄＢ以下になっている。【００３９】
このマイクロストリップラインフィルタ１は、３つの主面線路２Ａ〜２Ｃに対して２つの側面短絡電極４Ａ，４Ｂを備えているので、側面短絡電極４Ａ，４Ｂの配置間隔や、側面短絡電極４Ａ，４Ｂそれぞれの線路幅、側面短絡電極４Ａ，４Ｂそれぞれと共通電極３Ａ，３Ｂとの接続位置などによって、主面線路２Ａ〜２Ｃ間の結合係数や共振周波数に影響が及ぶことになる。【００４０】
具体的には、側面短絡電極４Ａ，４Ｂの配置間隔が広がることにより、主面線路２Ａ，２Ｂの構成する共振器間の結合係数と、主面線路２Ａ，２Ｃの構成する共振器間の結合係数とが大きくなる。また主面線路２Ａ〜２Ｃそれぞれの構成する共振器の共振周波数が高くなる。一方、側面短絡電極４Ａ，４Ｂの配置間隔が狭まることにより、主面線路２Ａ，２Ｂの構成する共振器間の結合係数と、主面線路２Ａ，２Ｃの構成する共振器間の結合係数とが小さくなる。また主面線路２Ａ〜２Ｃそれぞれの構成する共振器の共振周波数が低くなる。【００４１】
また、側面短絡電極４Ａ，４Ｂの線路幅が広がることにより、主面線路２Ａ，２Ｂの構成する共振器間の結合係数と、主面線路２Ａ，２Ｃの構成する共振器間の結合係数とが大きくなる。また主面線路２Ａ〜２Ｃそれぞれの構成する共振器の共振周波数が高くなる。一方、側面短絡電極４Ａ，４Ｂの線路幅が狭まることにより、主面線路２Ａ，２Ｂの構成する共振器間の結合係数と、主面線路２Ａ，２Ｃの構成する共振器間の結合係数とが小さくなる。また主面線路２Ａ〜２Ｃそれぞれの構成する共振器の共振周波数が低くなる。【００４２】
したがって、側面短絡電極４Ａ，４Ｂの電極パターンの設定により、共通電極３Ａ，３Ｂによって互いに導通する主面線路２Ａ〜２Ｃは、主面線路２Ａ〜２Ｃ間の結合係数や共振周波数を調整でき、共通電極や主面線路の形状の変更による結合係数や共振周波数の変化よりも影響が小さいので、共振器の共振周波数や共振器間の結合係数を精緻に調整できることが確認された。【００４３】
次に、マイクロストリップラインフィルタ１の製造方法について説明する。【００４４】
図４は、マイクロストリップラインフィルタ１の製造方法を示すフローである。【００４５】
マイクロストリップラインフィルタ１の製造工程では、
（Ｓ１）まず、いずれの面にも電極を形成していない誘電体の親基板を用意する。【００４６】
（Ｓ２）次に、親基板に対して、下面側に導電体ペーストをスクリーン印刷し、乾燥、焼成を経て接地電極および入出力電極を形成する。【００４７】
（Ｓ３）次に、親基板に対して、上面側に感光性導電体ペーストを印刷し、乾燥、露光、現像するフォトリソグラフィプロセスと、焼成とを経て主面電極パターンを形成する。【００４８】
（Ｓ４）次に、親基板の上面側にガラスペーストを印刷し、焼成を経てガラス層を形成する。【００４９】
（Ｓ５）次に、上記のようにして構成した親基板からダイシングなどにより多数の誘電体基板を切り出す。切り出し後に一部の誘電体基板の上面電極パターンに対して電気特性の予備測定を行う。【００５０】
（Ｓ６）次に、切り出した複数の誘電体基板からひとつ又は少数を抜き取り、側面短絡電極の試行形成を行い、所望のフィルタ特性が得られる最適化した側面短絡電極の電極パターンを選択する。【００５１】
（Ｓ７）抜き取った誘電体基板への側面短絡電極の試行形成により所望のフィルタ特性が得られる電極パターンを選択し、その後、同一基板ロットの複数の誘電体基板に対して、最適化した間隙寸法で側面に導電体ペーストを印刷し、焼成を経て側面短絡電極を形成する。【００５２】
以上の製造方法により、誘電体基板の上面への主面電極パターンの形成後に、側面への側面短絡電極の形成によりフィルタ特性を調整でき、所望のフィルタ特性を確実に得ることができる。【００５３】
なお、Ｓ６に示す試行形成においては、まず側面短絡電極の間隙部分にも電極を形成しておいてフィルタ特性を測定し、切削等により間隙部分の幅をしだいに広げながらフィルタ特性を測定し、所望のフィルタ特性が得られる間隙寸法を選択し、次の本形成のステップで、上記選択した間隙寸法で側面短絡電極を形成するようにしてもよい。【００５４】
また、誘電体基板１０の上面に設けた上面電極パターンは、その形状精度によってマイクロストリップラインフィルタの周波数特性に大きな影響を及ぼすため、ここでは、フォトリソグラフィプロセスにより電極精度を改善して形成している。【００５５】
次に、マイクロストリップラインフィルタの他の構成例を説明する。図５はマイクロストリップラインフィルタの斜視図である。マイクロストリップラインフィルタ５１は、上述のマイクロストリップラインフィルタ１と略同様の構成であり、ガラス層６０の上面にさらに結合用電極６１Ａ，６１Ｂを備える点で相違する。以下の説明では、マイクロストリップラインフィルタ１と略同様の構成には同一の符号を付して、詳細な説明を省く。【００５６】
結合用電極６１Ａは、入力段（出力段）の共振器を構成する主面電極２Ｄと２段目の共振器を構成する主面電極２Ｂとに、ガラス層６０を介して対向するように形成されている。結合用電極６１Ａは、入力段（出力段）の共振器および２段目の共振器の間の容量性結合を強めるために設けている。また、結合用電極６１Ｂは、出力段（入力段）の共振器を構成する主面電極２Ｅと４段目の共振器を構成する主面電極２Ｃとに、ガラス層６０を介して対向するように形成されている。結合用電極６１Ｂは、出力段（入力段）の共振器および４段目の共振器の間の容量性結合を強めるために設けている。【００５７】
このようにマイクロストリップラインフィルタを構成してもよい。【００５８】
また、上述のマイクロストリップラインフィルタ１として、誘電体基板１０の背面側には、側面引出電極６Ａ，６Ｂ以外の側面電極を設けない構成を示したが、他の側面電極を設けるようにしてもよい。例えば、誘電体基板１０の背面に、誘電体基板１０の正面側の側面短絡電極４Ａ〜４Dと合同になるように、側面電極を形成するとよい。そのような側面電極を形成すれば、各側面電極の印刷時に、誘電体基板１０の正面と背面とを区別する必要がなくなり、誘電体基板の向きを完全にそろえなくても、各側面電極を印刷できる。そのため印刷工程を簡易化できる。【００５９】
なお、上記した実施形態での主面線路や側面電極の配置位置や形状は製品仕様に応じたものであり、製品仕様に応じたどのような配置位置や形状であっても良い。本発明は上記構成以外であっても適用でき、多様なフィルタ素子のパターン形状に採用できる。また、このフィルタ素子に、他の構成（高周波回路）をさらに配しても良い。
【図１】
2009011168.tif 000003
【図２】
2009011168.tif 000004
【図３】
2009011168.tif 000005
【図４】
2009011168.tif 000006
【図５】
2009011168.tif 000007
【手続補正書】
【提出日】平成21年6月25日(2009.6.25)
【手続補正１】
【補正対象書類名】明細書
【補正対象項目名】０００４
【補正方法】変更
【補正の内容】
【０００４】
図１は、特許文献２を参考にしたマイクロストリップラインフィルタの構成例である。マイクロストリップラインフィルタ１０１では、共通電極１０３にストリップライン１０２Ａ〜１０２Ｃの一端が共通して接続される。また、共通電極１０３には短絡電極１０４が接続される。短絡電極１０４はストリップライン１０２Ａ〜１０２Ｃと平行に延び、接地電極１０５に接地される。
【特許文献１】実開昭５６−１０５９０２号公報
【特許文献２】特開２００６−２７０５０８号公報
【手続補正２】
【補正対象書類名】明細書
【補正対象項目名】００３０
【補正方法】変更
【補正の内容】
【００３０】
主面線路２Ｂと主面線路２Ａとは、短絡端側で共通電極３Ａにより導通し、より強い誘導性結合が得られる。この誘導性結合によって、マイクロストリップラインフィルタ１の周波数特性における帯域高域側には一つ目の高域側減衰極が立ち下がることになる。
【手続補正３】
【補正対象書類名】明細書
【補正対象項目名】００３２
【補正方法】変更
【補正の内容】
【００３２】
主面線路２Ｃと主面線路２Ａとは、短絡端側で共通電極３Ｂにより導通し、より強い誘導性結合が得られる。この誘導性結合によって、マイクロストリップラインフィルタ１の周波数特性における帯域高域側には二つ目の高域側減衰極が立ち下がることになる。
【手続補正４】
【補正対象書類名】明細書
【補正対象項目名】００５６
【補正方法】変更
【補正の内容】
【００５６】
結合用電極６１Ａは、入力段（出力段）の共振器を構成する主面線路２Ｄと２段目の共振器を構成する主面線路２Ｂとに、ガラス層６０を介して対向するように形成されている。結合用電極６１Ａは、入力段（出力段）の共振器および２段目の共振器の間の容量性結合を強めるために設けている。また、結合用電極６１Ｂは、出力段（入力段）の共振器を構成する主面線路２Ｅと４段目の共振器を構成する主面線路２Ｃとに、ガラス層６０を介して対向するように形成されている。結合用電極６１Ｂは、出力段（入力段）の共振器および４段目の共振器の間の容量性結合を強めるために設けている。
【国際調査報告】
2009011168.tif 000008
2009011168.tif 000009